(57)【特許請求の範囲】
【請求項１】
項目の設定値に基づいて動作する情報処理装置であって、
前記設定値を初期化する初期化手段と、
前記初期化手段により初期化される前記設定値の項目が、前記情報処理装置の初回の起動時に設定される項目を含むか否かを判定する判定手段と、
前記判定手段が、前記初回の起動時に設定される項目を含むと判定すると、前記初期化手段により初期化された前記設定値を再設定するために、前記情報処理装置の初回起動時に当該項目の設定値を設定するためのガイダンスを行うように制御する制御手段と、
を有することを特徴とする情報処理装置。
【請求項２】
前記制御手段は、前記初期化手段が前記設定値を初期化した後で前記ガイダンスを行うように制御することを特徴とする請求項１に記載の情報処理装置。
【請求項３】
前記制御手段は、前記初期化手段が前記設定値を初期化した後、当該初期化した設定値を使用する機能の実行が指示されたときに前記ガイダンスを行うように制御することを特徴とする請求項１に記載の情報処理装置。
【請求項４】
前記判定手段が、前記初期化手段により初期化される前記設定値の項目が前記初回の起動時に設定される項目を含むと判定すると、前記設定値を前記初期化手段により初期化するかどうかをユーザに確認する確認手段を更に有し、前記初期化手段は、前記確認手段による確認に従って前記設定値を初期化するかどうか決定することを特徴とする請求項１乃至３のいずれか１項に記載の情報処理装置。
【請求項５】
前記判定手段が、前記初期化手段により初期化される前記設定値の項目が前記初回の起動時に設定される項目を含むと判定すると、前記情報処理装置の初回の起動時に設定される当該項目の設定値を出力する出力手段を更に有することを特徴とする請求項１乃至４のいずれか１項に記載の情報処理装置。
【請求項６】
前記出力手段は、前記情報処理装置の初回の起動時に設定される当該項目の設定値を表示することを特徴とする請求項５に記載の情報処理装置。
【請求項７】
前記出力手段は、前記情報処理装置の初回の起動時に設定される当該項目の設定値を印刷して出力することを特徴とする請求項５に記載の情報処理装置。
【請求項８】
初期化の対象となる項目の一覧を表示する表示手段を更に有し、前記初期化手段は、前記一覧から選択された項目の設定値を初期化することを特徴とする請求項１乃至７のいずれか１項に記載の情報処理装置。
【請求項９】
前記制御手段は、前記初期化手段が前記設定値を初期化した後、当該初期化した設定値を使用する機能と、前記初期化した設定値との関連を記憶しておき、前記機能の実行が指示されたとき、前記記憶している関連に基づいて前記ガイダンスを起動することを特徴とする請求項３に記載の情報処理装置。
【請求項１０】
項目の設定値に基づいて動作する情報処理装置であって、
前記設定値を初期化する初期化手段と、
前記初期化手段により初期化される前記設定値の項目が、前記情報処理装置の初回の起動時に設定される項目を含むか否かを判定する判定手段と、
前記判定手段が、前記初回の起動時に設定される項目を含むと判定すると、前記初期化手段による前記設定値の初期化を禁止するように制御する制御手段と、
を有することを特徴とする情報処理装置。
【請求項１１】
項目の設定値に基づいて動作する情報処理装置を制御する制御方法であって、
初期化手段が、前記設定値を初期化する初期化工程と、
判定手段が、前記初期化工程で初期化される前記設定値の項目が、前記情報処理装置の初回の起動時に設定される項目を含むか否かを判定する判定工程と、
制御手段が、前記判定工程が前記初回の起動時に設定される項目を含むと判定すると、前記初期化工程で初期化された前記設定値を再設定するために、前記情報処理装置の初回起動時に当該項目の設定値を設定するためのガイダンスを行うように制御する制御工程と、
を有することを特徴とする情報処理装置の制御方法。
【請求項１２】
コンピュータを、請求項１乃至１０のいずれか１項に記載の情報処理装置の各手段として機能させるためのプログラム。
【発明の詳細な説明】
【技術分野】
【０００１】
本発明は、情報処理装置とその制御方法、及びプログラムに関するものである。
【背景技術】
【０００２】
画像形成装置等の情報処理装置において所望の動作を実行させる場合、ネットワーク等の装置に関する設定や、ファクス等の使用したい機能に関する設定は、装置を設置する時点で予め行っておく必要がある。装置の設置時のこれら初期設定を行うには、ネットワークやファクス等に関する知識が必要であり、特に高機能化した画像形成装置等の初期設定を、一般のユーザが行うのは困難である。
【０００３】
特許文献１には、基地局装置の初回起動時に、必要な設定情報をサーバから自動で取得することにより、ユーザによる特別な操作なしで、その基地局装置を初期設定できるようにする技術が記載されている。また特許文献２には、設定情報の入力シートに項目に関する説明を示す情報を記載することで、設定すべき項目に関する知識の少ないユーザでも容易に電子機器を初期設定できることが記載されている。
【先行技術文献】
【特許文献】
【０００４】
【特許文献１】特許第５２２９３８８号公報
【特許文献２】特開２００６−３４５０８５号公報
【発明の概要】
【発明が解決しようとする課題】
【０００５】
一般的に、装置の各種項目の設定値は、ユーザの操作により、工場出荷時の初期設定値に戻すことができるようになっている。このように設定値を初期設定値に戻す際、全ての項目の設定値を元に戻すのではなく、例えばネットワーク設定、ファクス設定などの、まとまった項目毎に、初期設定値に戻すように項目を選択できるものもある。
【０００６】
しかしながら、上述した設定値を初期設定値に戻す操作を行った場合に、一度設定された項目が、ユーザの意図に反して工場出荷時の初期設定値に戻される可能性がある。その場合、ユーザが、一度設定された項目が、工場出荷時の初期設定値に戻っていると気付くのは難しい。また、設定値が工場出荷時の初期設定値に戻された後、その装置に所望の動作を実施させるためには、再び、装置を設置したときと同様に初期設定を行う必要がある。その際、ユーザは、その項目のメニュー階層を辿って再設定を行わなければならず、その操作は手間であり、また間違って設定を行うと装置が所望の動作を実行できなくなるおそれがある。
【０００７】
本発明の目的は、上記従来技術の課題を解決することにある。
【０００８】
本発明の特徴は、初期化対象の項目が、初回起動時に設定する項目を含むときに、その項目の再設定を容易にする技術を提供することにある。
【課題を解決するための手段】
【０００９】
上記目的を達成するために本発明の一態様に係る情報処理装置は以下のような構成を備える。即ち、
項目の設定値に基づいて動作する情報処理装置であって、
前記設定値を初期化する初期化手段と、
前記初期化手段により初期化される前記設定値の項目が、前記情報処理装置の初回の起動時に設定される項目を含むか否かを判定する判定手段と、
前記判定手段が、前記初回の起動時に設定される項目を含むと判定すると、前記初期化手段により初期化された前記設定値を再設定するために、前記情報処理装置の初回起動時に当該項目の設定値を設定するためのガイダンスを行うように制御する制御手段と、を有することを特徴とする。
【発明の効果】
【００１０】
本発明によれば、ユーザが、ある項目の設定値を初期化し、その設定値が初回起動設定の対象の設定値を含むとき、その項目の最設定を容易にできるという効果がある。
【００１１】
本発明のその他の特徴及び利点は、添付図面を参照とした以下の説明により明らかになるであろう。なお、添付図面においては、同じ若しくは同様の構成には、同じ参照番号を付す。
【図面の簡単な説明】
【００１２】
添付図面は明細書に含まれ、その一部を構成し、本発明の実施形態を示し、その記述と共に本発明の原理を説明するために用いられる。
【図１】本発明の実施形態１に係る情報処理装置の構成を説明するブロック図。
【図２】実施形態１に係る情報処理装置の動作を説明するフローチャート。
【図３】本発明の実施形態２に係る情報処理装置の動作を説明するフローチャート。
【図４】本発明の実施形態２に係る情報処理装置の動作を説明するフローチャート。
【図５】本発明の実施形態３に係る情報処理装置の動作を説明するフローチャート。
【図６】本発明の実施形態４に係る情報処理装置の動作を説明するフローチャート。
【図７】本発明の実施形態５に係る情報処理装置の動作を説明するフローチャート。
【図８】本発明の実施形態６に係る情報処理装置の動作を説明するフローチャート。
【図９】実施形態に係る情報処理装置が初回起動したときに表示される初回起動設定画面の遷移を説明する図。
【図１０】実施形態に係る情報処理装置におけるファクス機能に関する設定画面の遷移を説明する図。
【図１１】実施形態に係る情報処理装置の操作パネルに表示される初期化画面の一例を示す図。
【図１２】実施形態に係る情報処理装置のファクス設定の項目を階層で示す図。
【図１３】実施形態に係る図１１に示す初期化項目の項目が、どのカテゴリに含まれるかを説明する図。
【発明を実施するための形態】
【００１３】
以下、添付図面を参照して本発明の実施形態を詳しく説明する。尚、以下の実施形態は特許請求の範囲に係る本発明を限定するものでなく、また本実施形態で説明されている特徴の組み合わせの全てが本発明の解決手段に必須のものとは限らない。
【００１４】
［実施形態１］
図１は、本発明の実施形態１に係る情報処理装置１００の構成を説明するブロック図である。
【００１５】
実施形態１に係る情報処理装置１００は、印刷機能、スキャン機能（読取り機能）、ファクシミリ機能等を備えた多機能処理装置（ＭＦＰ）として説明する。ＣＰＵ１０１は、ＲＯＭ１０３のプログラムＲＯＭに記憶されたプログラムをＲＡＭ１０２に展開して実行することにより、この情報処理装置１００全体を総括的に制御している。尚、このプログラムは、図示しないハードディスクドライブ（ＨＤＤ）にインストールされていて、実行時に、ＣＰＵ１０１によりＲＡＭ１０２に展開されて実行されても良い。また、ＲＯＭ１０３のデータＲＯＭには、情報処理装置１００の装置情報や、ユーザの電話帳、部門管理情報等が記憶されており、ＣＰＵ１０１により必要に応じて読み出される。尚、ＲＯＭ１０３は、例えばフラッシュメモリのような不揮発記憶装置として、装置情報や、ユーザの電話帳、部門管理情報等を必要に応じて更新できるようにしても良い。
【００１６】
印刷部Ｉ／Ｆ１０５は、ＣＰＵ１０１の指示に従って、印刷部１０６（プリンタエンジン）に画像信号を出力する。また読取部Ｉ／Ｆ１０７は、ＣＰＵ１０１の指示に従って読取部１０８（スキャナエンジン）を制御し、読取部１０８が原稿を読み取って得られた画像信号を入力する。ＣＰＵ１０１は、読取部Ｉ／Ｆ１０７を介して入力した画像信号を処理し、記録用の画像信号として印刷部Ｉ／Ｆ１０５へ出力することにより、コピー処理を実現できる。またＣＰＵ１０１は、ＲＯＭ１０３のフォントＲＯＭに記憶されたフォント情報を用いて、操作パネル１０９の表示部に文字や記号等を表示する。またＣＰＵ１０１は、ユーザの指示を受けた操作パネル１０９からの指示情報を受け付ける。尚、操作パネル１０９はタッチパネル機能を有し、操作パネル１０９の画面上でなされたユーザの操作を検知してＣＰＵ１０１に伝える。
【００１７】
モデム１１０は、回線Ｉ／Ｆ１１１を介して公衆回線網１１２と接続し、図示しない他の情報処理装置やファクシミリ装置、電話機などと通信処理を行う。ＵＳＢＩ／Ｆ１１３、有線ＬＡＮＩ／Ｆ１１５、無線ＬＡＮＩ／Ｆ１１７はそれぞれ、ＵＳＢ１１４、有線ＬＡＮ１１６、無線ＬＡＮ（アクセスポイント）１１８を介してＰＣ１１９との間で通信処理を行う。なお、本実施形態では、情報処理装置として、印刷機能、スキャン機能（読取り機能）、ファクシミリ機能等を備えた多機能処理装置（ＭＦＰ）を例に説明するが、これらの機能のうち、いずれかを備えていない装置であってもよい。
【００１８】
図２は、実施形態１に係る情報処理装置１００の動作を説明するフローチャートである。尚、この処理を実行するプログラムは、ＲＯＭ１０３のプログラムＲＯＭに記憶されており、実行時に、ＣＰＵ１０１がそのプログラムをＲＡＭ１０２に展開して実行することにより達成される。
【００１９】
Ｓ２０１でＣＰＵ１０１は、例えば図１１に示すような初期化画面を操作パネル１０９に表示する。
【００２０】
図１１は、本発明の実施形態に係る情報処理装置１００の操作パネル１０９に表示される初期化画面の一例を示す図である。
【００２１】
ここでは初期化の対象となり得る項目の一覧として「環境設定」、「タイマ設定」、「共有設定」、「コピー設定」、「ファクス設定」、「システム管理設定」が表示されている。ここで、これらのうちのいずれかの項目が指示されると、その指示された項目の設定値が初期化される。
【００２２】
次にＳ２０２に進みＣＰＵ１０１は、表示されている項目のいずれかが選択されるのを待ち、選択されるとＳ２０３に進み、その選択された項目の設定値を初期化（クリア）する。
【００２３】
例えば、ここで「ファクス設定」が選択されると、図１２における設定値の階層において、ファクス設定の下層に位置している「基本設定」、「送信機能設定」、「受信機能設定」といった各項目が全て初期化されることになる。「ファクス設定」以外の「環境設定」、「タイマ設定」、「共有設定」、「コピー設定」、「システム管理設定」についても、選択された設定項目の初期化が指示されると、選択された設定項目の下層に位置している項目の設定値が全て初期化される。
【００２４】
図１２は、ファクス設定の項目を階層で示す図である。
【００２５】
次にＳ２０４に進みＣＰＵ１０１は、Ｓ２０３で初期化した項目の設定値が、初回起動設定の対象となる項目か否かを判定する。初回起動設定とは、情報処理装置を設置した後、初回起動時に情報処理装置にユーザが所望する動作をさせるために行うべき設定である。
【００２６】
図９及び図１０は、情報処理装置１００を初めて起動するとき、各項目の設定値を設定するための画面遷移の一例を説明する図である。
【００２７】
図９は、実施形態に係る情報処理装置１００が初回起動したときに表示される初回起動設定画面の遷移を説明する図である。
【００２８】
この画面は、情報処理装置１００を動作させるために必要な設定を行うための画面例を示す。この例では、ユーザは、言語選択の画面９０１で操作パネル１０９に表示される言語として日本語を選択し、無線ＬＡＮの設定画面９０２で無線ＬＡＮの設定を選択し、画面９０３で無線ＬＡＮの設定を行うことができる。
【００２９】
図１０は、実施形態に係る情報処理装置１００におけるファクス機能に関する設定画面の遷移を説明する図である。この画面１００１は、図９の画面９０３における無線ＬＡＮの設定が終わった後に表示される。
【００３０】
画面１００１で、ユーザが、ファクスの設定として「設定する」を選択すると画面１００２に遷移する。画面１００２でユーザが「次へ」ボタン１０１０を押下すると、ユーザの電話番号の登録画面１００３に移行する。この画面でユーザが電話番号を入力して「確定」ボタン１０１１を押下すると、受信モードの設定画面１００４に遷移する。画面１００４でユーザが「次へ」ボタン１０１２を押下すると、電話機を使用せずにファクス専用で使用するかどうかの問い合わせ画面１００５が表示される。ここでユーザが「はい」ボタン１０１３を押下すると受信モードの設定画面１００６に遷移する。設定画面１００６でユーザが「確定」ボタン１０１４を押下すると、受信モードは「自動受信」に設定される。このようにガイド付きで対話形式でユーザが選択できるようにすることにより、ファクスの知識がないユーザでも、ファクシミリの受信モードを設定できる。
【００３１】
図１３は、例えば図１１に示す初期化対象の項目が、どのカテゴリに含まれるかを説明する図である。
【００３２】
図１３の例では、「画面の輝度調整」、「言語選択」、「デフォルト画面の設定」はカテゴリ「環境設定」に含まれている。また、「自動リダイヤル設定」、「ユーザ電話番号」、「受信モード選択」、「発信元記録」は「ファクス設定」に含まれている。また「プロキシ設定」、「無線ＬＡＮ設定」は「システム管理設定」に含まれている。「言語選択」、「ユーザ電話番号」、「受信モード選択」、「無線ＬＡＮ設定」はいずれも初回起動設定の対象となっている。一方、「画面の輝度調整」や「デフォルト画面の設定」、「自動リダイヤル」、「発信元記録」、「プロキシ設定」は、初回起動設定の対象となっていない。「画面の輝度調整」は、操作パネル１０９に表示される画面の輝度を調整するための設定項目である。「言語選択」は、操作パネル１０９に表示される言語を設定するための設定項目である。「デフォルト画面の設定」は、電源を起動した後に表示される画面を設定するための設定項目である。「自動リダイヤル設定」は、通信がエラーで失敗したときに、リダイヤルを実行するか否かを設定するための設定項目である。「ユーザ電話番号」は、情報処理装置１００自身のファクス番号を設定するための設定項目である。「受信モード選択」は、ファクスをユーザの受信指示がなくても自動的に受信するか、ユーザの受信指示を受け付けるまで待ってから受信するかを設定するための設定項目である。「発信元記録」は、ファクス画像のヘッダに発信者の情報を付けるか否かを設定するための設定項目である。「プロキシ設定」は、有線ＬＡＮ１１６や無線ＬＡＮ１１８の使用時にプロキシサーバを経由して通信を行うか否かを設定するための設定項目である。「無線ＬＡＮ設定」は、無線ＬＡＮを使用してネットワークに接続するか否かを設定するための設定項目である。さらに、「無線ＬＡＮ設定」では、画面９０３に示す各種設定を行うための設定項目である。なお、図１１に示す「タイマ設定」や「コピー設定」、「共通設定」には、初回起動設定対象の項目が含まれていないものとする。なお、本発明は、これに限られず、「タイマ設定」や「コピー設定」、「共通設定」にも、初回起動設定対象の項目が含まれていてもよい。
【００３３】
こうしてＳ２０４でＣＰＵ１０１は、Ｓ２０３で初期化した設定値に、初回起動設定の対象である設定項目の設定値が含まれていると判定するとＳ２０５に進む。そして、Ｓ２０５で、ＣＰＵ１０１は、ユーザに対して、その初期化した初回起動設定の対象である設定項目を再設定するかどうか確認する。一方、Ｓ２０４で初回起動設定の対象である設定項目の設定値が含まれていないと判定したときは、そのまま処理を終了する。
【００３４】
Ｓ２０５では例えば、操作パネル１０９に、ユーザが初期化を指示した設定値に初回起動設定の対象の設定項目の設定値が含まれている旨を表示し、ユーザに対して再設定を行うかどうかを問い合わせる画面を（不図示）を表示する。そしてＳ２０６でＣＰＵ１０１は、その画面でユーザが再設定を行うと指示したときはＳ２０７に進むが、ユーザが再設定を指示しないときはこの処理を終了する。Ｓ２０７でＣＰＵ１０１は、Ｓ２０３で初期化した項目に対する初回起動設定のためのガイダンスを行うプログラムを起動して、ユーザが、初回起動画面を介してその項目を再設定できるようにする。尚、この初回起動設定のためのガイダンスを行うプログラムはＲＯＭ１０３のプログラムＲＯＭに記憶されている。
【００３５】
Ｓ２０７では例えば、図１１の初期化画面でユーザが項目「環境設定」を選択して、その設定値が初期化されている場合は、例えば図９の言語選択の画面９０１を表示して、ユーザに言語設定を行わせる。なお、このとき、画面９０１における言語の設定が完了しても、ＣＰＵ１０１は、設定画面９０２、９０３は表示しないよう制御してもよい。それによって、ユーザは、初期化されていない項目の設定値の設定を再度行わなくて済む。また例えば図１１の初期化画面でユーザが項目「システム管理設定」を選択して、その設定値が初期化されたときは、Ｓ２０７で、図９の無線ＬＡＮの設定画面９０２，９０３を表示する。このとき、ＣＰＵ１０１は、設定画面９０１を表示させずに、設定画面９０２を表示するよう制御し、設定画面９０２及び設定画面９０３を介して無線ＬＡＮの設定を受け付ければよい。それによって、ユーザは、初期化されていない項目の設定値の設定を再度行わなくて済む。なお、これ以降の実施形態でも、初期化されている設定項目の設定値を設定させるための設定画面のみを表示し、初期化されていない設定項目の設定値を設定させるための設定画面を表示しないよう制御すればよい。
【００３６】
以上説明したように実施形態１によれば、ユーザが、ある項目の設定値を初期化したとき、その設定値が初回起動設定の対象であれば、再度、その項目の初回起動設定画面を表示してユーザに、その項目の設定値を再設定させることができる。これにより、ユーザがある項目の設定値を初期化したとき、その設定値を初期化時の設定値に戻したい場合、ユーザがメニューの階層を辿って、その項目の初期化画面を探して再設定する手間を省くことができる。また、ユーザは、初期化された設定項目の設定値のみをガイダンスに従って設定すればよいため、初期化されていない設定項目の設定値を再度設定する手間が省ける。
【００３７】
［実施形態２］
図３は、本発明の実施形態２に係る情報処理装置１００の動作を説明するフローチャートである。尚、この処理を実行するプログラムは、ＲＯＭ１０３のプログラムＲＯＭに記憶されており、実行時に、ＣＰＵ１０１がそのプログラムをＲＡＭ１０２に展開して実行することにより達成される。
【００３８】
図３のＳ３０１〜Ｓ３０４は、図２のＳ２０１〜Ｓ２０４の処理と同じであるため、その説明を省略する。Ｓ３０４でＣＰＵ１０１は、初期化した設定値に、初回起動設定の対象である設定項目の設定値が含まれていると判定するとＳ３０５に進む。ＣＰＵ１０１は、Ｓ３０３で初期化した項目に関連付けて初回起動設定フラグをＲＡＭ１０２セットして、この処理を終了する。
【００３９】
例えば、図１１のユーザが初期化画面で「ファクス設定」を選択して、その項目の設定値を初期化したときは、Ｓ３０５でＣＰＵ１０１は、「ファクス設定」に関連付けて初回起動設定フラグをＲＡＭ１０２にセットする。
【００４０】
図４は、本発明の実施形態２に係る情報処理装置１００の動作を説明するフローチャートである。尚、この処理を実行するプログラムは、ＲＯＭ１０３のプログラムＲＯＭに記憶されており、実行時に、ＣＰＵ１０１がそのプログラムをＲＡＭ１０２に展開して実行することにより達成される。
【００４１】
先ずＳ４０１でＣＰＵ１０１は、特定機能を使用するように指示されたか否かを判定する。ここで特定機能を使用するように指示されたと判定するとＳ４０２に進みＣＰＵ１０１は、その機能に対応して初回起動設定フラグがセットされているかどうか判定する。ここでＣＰＵ１０１は、その機能に対応して初回起動設定フラグがセットされていると判定するとＳ４０３に進みＣＰＵ１０１は、その機能の設定値の初期設定を行う初回起動設定のためのガイダンスを行うプログラムを起動する。これによりユーザは、その初回起動設定の画面を介して、その機能を実行させるための各種項目の設定値を設定することができる。そしてＳ４０４に進みＣＰＵ１０１は、ＲＡＭ１０２の初回起動設定フラグをクリアして、この処理を終了する。
【００４２】
例えば、Ｓ４０１でユーザがファクス機能を使用するように指示するとＳ４０２で、そのファクス機能に関連して初回起動設定フラグがセットされていると、図１０に示す画面１００１を表示する。そしてユーザの操作に従って、画面１００２〜１００６が順次操作パネル１０９に表示される。これによりユーザは、容易にファクス機能の各種設定を行うことができる。
【００４３】
以上説明したように実施形態２によれば、ユーザが、ある項目の設定値を初期化したとき、その設定値が初回起動設定の対象であれば、その項目の設定値を使用する機能が指示されたときに、その項目の初回起動設定画面を表示する。これにより、ユーザがある項目の設定値を初期化して、その設定値を初期化時の設定値に戻したい場合、ユーザがメニューの階層を辿って、その項目の初期化画面を探して再設定する手間を省くことができる。
【００４４】
［実施形態３］
図５は、本発明の実施形態３に係る情報処理装置１００の動作を説明するフローチャートである。尚、この処理を実行するプログラムは、ＲＯＭ１０３のプログラムＲＯＭに記憶されており、実行時に、ＣＰＵ１０１がそのプログラムをＲＡＭ１０２に展開して実行することにより達成される。
【００４５】
図５のＳ５０１〜Ｓ５０３は、図２のＳ２０１，Ｓ２０２，Ｓ２０４の処理と同じであるため、その説明を省略する。Ｓ５０３でＣＰＵ１０１は、Ｓ５０２で初期化した項目が初回起動設定の対象の設定項目を含むと判定するとＳ５０４に進み、そうでないときは図２のＳ２０３に進む。Ｓ５０４でＣＰＵ１０１は、Ｓ５０２で初期化するように指示された項目が、初回起動設定の対象の設定項目を含むことを操作パネル１０９に表示してユーザに伝える。そしてＳ５０５でＣＰＵ１０１は、初回起動設定の対象であってもその項目の設定値を初期化するかどうかをユーザに確認する。そしてＳ５０６でＣＰＵ１０１は、ユーザが初期化することを選択したかどうか判定し、ユーザがその項目を初期化すると決定する図２のＳ２０３に処理を進めて、その設定値の初期化処理を実行する。一方、Ｓ５０６でＣＰＵ１０１は、ユーザが初期化処理を選択しないと判定すると、その設定値の初期化処理を行うことなく、この処理を終了する。
【００４６】
以上説明したように実施形態３によれば、ユーザが、ある項目の設定値の初期化を指示したとき、その項目の設定値が初回起動設定の対象の設定項目の設定値を含むかどうかを判定する。そして、その項目の設定値が初回起動設定の対象の設定項目の設定値を含む場合に、その項目の設定値を初期化する前に、その設定値を初期化するかどうかユーザに確認できる。これにより、ユーザが初期化を指示した項目の設定値を初期化する前に、その項目の設定値が初回起動設定に含まれるかどうかを気付くことができる。
【００４７】
［実施形態４］
図６は、本発明の実施形態４に係る情報処理装置１００の動作を説明するフローチャートである。尚、この処理を実行するプログラムは、ＲＯＭ１０３のプログラムＲＯＭに記憶されており、実行時に、ＣＰＵ１０１がそのプログラムをＲＡＭ１０２に展開して実行することにより達成される。
【００４８】
図６のＳ６０１〜Ｓ６０３は、図２のＳ２０１、Ｓ２０２，Ｓ２０４の処理と同じであるため、その説明を省略する。Ｓ６０３でＣＰＵ１０１は、Ｓ６０２で初期化を指示した項目が初回起動設定の対象の設定項目を含むと判定するとＳ６０４に進む。そして、ＣＰＵ１０１は、初回起動設定の対象でない項目の設定値だけを初期化して、この処理を終了する。即ち、Ｓ６０４に進みＣＰＵ１０１は、初回起動設定の対象である項目の設定値の初期化を禁止する。また、Ｓ６０３でＣＰＵ１０１は、初回起動設定の対象でないと判定するとＳ６０５に進み、初期化するように指示された項目の設定値を初期化して、この処理を終了する。
【００４９】
以上説明したように実施形態４によれば、ユーザが、ある項目の設定値を初期化するように指示したとき、その項目の設定値が初回起動設定の対象であれば、その指示された項目の設定値を初期化しない。これによりユーザが、初期設定をやり直す手間を省くことが可能となる。
【００５０】
［実施形態５］
図７は、本発明の実施形態５に係る情報処理装置１００の動作を説明するフローチャートである。尚、この処理を実行するプログラムは、ＲＯＭ１０３のプログラムＲＯＭに記憶されており、実行時に、ＣＰＵ１０１がそのプログラムをＲＡＭ１０２に展開して実行することにより達成される。
【００５１】
図７のＳ７０１〜Ｓ７０３は、図２のＳ２０１，Ｓ２０２，Ｓ２０４の処理と同じであるため、その説明を省略する。Ｓ７０３でＣＰＵ１０１は、初期化するように指示された項目が、初回起動設定に含まれる項目であると判定するとＳ７０４に進む。Ｓ７０４でＣＰＵ１０１は、その指示された項目の設定値を初期化する前に、初回起動設定の設定値（現在の値）を操作パネル１０９に表示して図２のＳ２０３に進む。またＳ７０３でＣＰＵ１０１は、初期化するように指示された項目が、初回起動設定に含まれる項目でないと判定すると図２のＳ２０３に進む。
【００５２】
以上説明したように実施形態５によれば、ユーザが、ある項目の設定値を初期化するように指示したしたとき、その項目の設定値が初回起動設定の対象の設定項目の設定値を含めば、その指示された項目の初期設定値を操作パネル１０９に表示する。これによりユーザは、初期設定をやり直すときに、再設定する設定値を確認することができる。
【００５３】
［実施形態６］
図８は、本発明の実施形態６に係る情報処理装置１００の動作を説明するフローチャートである。尚、この処理を実行するプログラムは、ＲＯＭ１０３のプログラムＲＯＭに記憶されており、実行時に、ＣＰＵ１０１がそのプログラムをＲＡＭ１０２に展開して実行することにより達成される。
【００５４】
図８のＳ８０１〜Ｓ８０３は、図２のＳ２０１，Ｓ２０２，Ｓ２０４の処理と同じであるため、その説明を省略する。Ｓ８０３でＣＰＵ１０１は、初期化するように指示された項目が、初回起動設定に含まれる項目であると判定するとＳ８０４に進む。Ｓ８０４でＣＰＵ１０１は、その設定値を初期化する前に、初回起動設定の設定値（現在の値）のレポートを出力（印刷）して図２のＳ２０３に進む。
【００５５】
以上説明したように実施形態６によれば、ユーザが、ある項目の設定値を初期化するように指示したとき、その項目の設定値が初回起動設定の対象の設定項目の設定値を含めば、その指示された項目の初期設定値を印刷部１０６により印刷する。これによりユーザは、初期設定をやり直すときに、再設定する設定値を容易に確認することができる。
【００５６】
（その他の実施形態）
本発明は、上述の実施形態の１以上の機能を実現するプログラムを、ネットワーク又は記憶媒体を介してシステム又は装置に供給し、そのシステム又は装置のコンピュータにおける１つ以上のプロセッサーがプログラムを読出し実行する処理でも実現可能である。また、１以上の機能を実現する回路（例えば、ＡＳＩＣ）によっても実現可能である。
【００５７】
本発明は上記実施形態に制限されるものではなく、本発明の精神及び範囲から離脱することなく、様々な変更及び変形が可能である。従って、本発明の範囲を公にするために、以下の請求項を添付する。
【符号の説明】
【００５８】
１００…情報処理装置、１０１…ＣＰＵ、１０２…ＲＡＭ、１０３…ＲＯＭ、１０９…操作パネル
【図１】
0006588788.tif 000002
【図２】
0006588788.tif 000003
【図３】
0006588788.tif 000004
【図４】
0006588788.tif 000005
【図５】
0006588788.tif 000006
【図６】
0006588788.tif 000007
【図７】
0006588788.tif 000008
【図８】
0006588788.tif 000009
【図９】
0006588788.tif 000010
【図１０】
0006588788.tif 000011
【図１１】
0006588788.tif 000012
【図１２】
0006588788.tif 000013
【図１３】
0006588788.tif 000014